(57)【要約】    【課題】  光ピックアップに設けられた対物レンズを開閉するカバーを備えて、対物レンズが埃などにより汚染されることを防止する光ディスク装置を提供する。    【解決手段】  駆動モータ軸のギヤと噛み合う光ピックアップ移送体２５０と連動するカバー移送体２６０と、カバー移送体２６０の移動により、駆動モータ２４２の駆動初期にカバー２６２を駆動させるカバー体とを含み、カバー移送体２６０の往復駆動力がラック及びピニオンを介してカバー体に伝達される。【選択図】図３
2006040509.tif 000002
【特許請求の範囲】
【請求項１】
中央に中心孔が形成され、前記中心孔の両側部に一対のガイド軸が設けられたデッキと、
前記デッキの一側部に装着され、光ディスクが搭載されるターンテーブルが結合されたスピンドルモータと、
対物レンズを有し、前記一対のガイド軸により両側部が移動可能に支持される光ピックアップと、
前記中心孔の一側部で前記デッキに結合される駆動モータ、及び一側が前記光ピックアップに結合され、他側が所定のギヤ群を介して前記駆動モータに連結される光ピックアップ移送体を備えてなり、前記光ピックアップを光ディスクの半径方向に往復駆動させる光ピックアップ駆動手段と、
を含んでなる光ディスク装置において、
前記対物レンズを覆うカバーを備え、前記駆動モータにより前記カバーを前記一対のガイド軸を横切る方向に往復駆動させて、前記カバーで前記対物レンズを開閉する対物レンズ保護手段をさらに含むことを特徴とする光ディスク装置。
【請求項２】
前記対物レンズ保護手段は、
前記光ピックアップ移送体と連動して前記光ディスクの半径方向に往復駆動されるカバー移送体と、
前記カバー移送体の往復運動により、前記一対のガイド軸を横切る方向に往復駆動され、一端部に前記カバーが延設されたカバー体と、
前記カバー移送体の往復運動を前記カバー体の往復運動に転換して伝達する伝達手段とを含み、
前記往復運動の伝達は、前記光ピックアップが所定位置に停止した状態で行われることを特徴とする、請求項１記載の光ディスク装置。
【請求項３】
前記所定位置は、光ディスクが前記ターンテーブルに対して搭載及び／又は分離される場合、前記光ピックアップが位置するように設定された待機位置であることを特徴とする、請求項２記載の光ディスク装置。
【請求項４】
前記伝達手段は、少なくとも一つのピニオンからなる伝達軸と、
前記伝達軸と噛み合うように前記カバー移送体及び前記カバー体にそれぞれ形成されたラックと、
を備えることを特徴とする、請求項２記載の光ディスク装置。
【請求項５】
前記伝達軸は、前記光ピックアップにより、光ディスクの面に垂直な方向に支持され、前記カバー移送体のラックと前記カバー体のラックとは、伝達軸上の異なった位置で前記伝達軸と噛み合うことを特徴とする、請求項４記載の光ディスク装置。
【請求項６】
前記伝達軸は、直径が相違しているとともに積層された二つのピニオンを備えてなり、前記カバー移送体の駆動距離が前記カバー体の駆動距離と相違していることを特徴とする、請求項５記載の光ディスク装置。
【請求項７】
前記カバー体の駆動距離が前記カバー移送体の駆動距離より長いことを特徴とする、請求項６記載の光ディスク装置。
【請求項８】
前記光ピックアップ移送体の一側部に設けられて、前記所定のギヤ群と噛み合うラックと、
前記伝達軸と噛み合うラックに対向する前記カバー移送体の側部に設けられて、前記所定のギヤ群と噛み合う他のラックと、
をさらに備えることを特徴とする、請求項４記載の光ディスク装置。
【請求項９】
前記カバー移送体と前記光ピックアップ移送体とは、前記駆動モータの回転により、時間間隔を置いて駆動を開始することを特徴とする、請求項８記載の光ディスク装置。
【請求項１０】
前記所定のギヤ群に対応して、前記カバー移送体と前記光ピックアップ体とは、相違した長さのラックを持っており、前記カバー移送体と前記光ピックアップ移送体とは、突起及び受容孔からなる連動手段により連動することを特徴とする、請求項９記載の光ディスク装置。
【請求項１１】
前記所定のギヤ群に対応する前記カバー移送体のラックが、前記光ピックアップ移送体のラックより所定範囲の値だけ長く、前記光ピックアップの待機位置で前記カバー移送体が前記所定のギヤ群と噛み合って単独で駆動され、その後、前記光ピックアップ移送体が前記カバー移送体と共に連動手段により駆動されることを特徴とする、請求項１０記載の光ディスク装置。
【請求項１２】
前記伝達軸に対応する前記カバー移送体のラックは、前記所定範囲に対応する長さと位置に限定されて形成されることを特徴とする、請求項１１記載の光ディスク装置。
【発明の詳細な説明】
【技術分野】
【０００１】
本発明は、光ディスクに関し、より詳しくは、光ピックアップに設けられた対物レンズを開閉するカバーを備えて、対物レンズが埃などにより汚染されることを防止する対物レンズ保護手段を備えた光ディスク装置に関する。
【背景技術】
【０００２】
記録媒体に対して記録再生用ヘッドを接触させることなく情報の記録及び再生を可能にし、さらに記録密度の向上を図った情報記録媒体として光ディスクが用いられている。かかる光ディスクに記録された情報は、一般に、光ディスク装置により判読／再生できる。
【０００３】
光ディスク装置は、光ディスクが搭載されるターンテーブルと、ターンテーブルを回転させるスピンドルモータと、対物レンズを備えた光ピックアップと、光ピックアップを光ディスクの半径方向に往復駆動させる駆動手段とを含むものが一般的である。これらのなかで、光ディスクの情報記録面に対して直接照射する対物レンズを埃のような外部汚染物質などから保護することが大変重要である。
【０００４】
対物レンズに埃などが付着して対物レンズの性能が低下し、ひいては光ディスクを判読することができないか、あるいは光ディスクに情報を記録する場合に記録特性が低下するなどの問題が発生し得る。特に、埃が多く発生する場所、例えば中東地域のような砂漠地域、又は埃飛散の多い産業現場などで光ディスク装置を使用するためには、埃から対物レンズを保護するための防塵手段を備えた光ディスク装置がより強く要求される。
【０００５】
従来、対物レンズの表面を埃から保護するために構成された例が多数存在するが、これを図面に基づいて簡略に説明する。
【０００６】
図１は、従来の光ディスク装置の一例を示すブロック図である。図１に関する構成は特許文献１に開示されている。同図に示すように、従来の光ディスク装置１００は、ディスク１０が搭載されるターンテーブル２２がスピンドルモータ２０に結合され、スピンドルモータ２０の一側でガイド４２により支持され、光ディスクの半径方向（矢印Ｂの方向）に往復駆動される光ピックアップ３０と、光ピックアップ３０を駆動させる光ピックアップ駆動装置４０と、ヒンジ７２を中心に旋回して（矢印Ａの方向）装置を開閉する装置カバー７０と、ロック手段７３及び光ピックアップ駆動装置などに連結された制御手段５０とを含む。
【０００７】
かかる従来の光ディスク装置１００は、装置カバー７０を旋回させて装置の上部を開放した後、開放された上部から光ディスクをターンテーブルに対して搭載及び／又は分離する方式であって、このように光ディスクを搭載するときは、対物レンズ３２を備えた光ピックアップ３０がセンサ４４の位置する地点まで駆動され、レンズカバー６０の下側で待機することを特徴とする。すなわち、光ディスクが搭載されなかった状態では、光ピックアップそのものがレンズカバーの下側に移動するので、対物レンズがレンズカバーにより埃などから保護できる。
【０００８】
ただし、このような構成のためには、光ディスク装置内にレンズカバーをさらに設ける必要があり、レンズカバーに対応する領域の分だけ光ディスク装置の大きさが増加してしまう。すなわち、光ディスクの半径に対応する領域のほかに、レンズカバーの設けられた領域まで光ピックアップを駆動するように光ディスク装置を構成しなければならないので、装置全体の嵩が増加するという問題を有する。
【０００９】
次に、図２は、従来の光ピックアップの一例を示す斜視図である。図２に関する構成は、特許文献２に開示されている。同図に示すように、従来の光ピックアップ１３０は、光ピックアップ体１３４上に、対物レンズ１３２を備えたアクチュエータ１８０が設けられ、アクチュエータの一側でカバー駆動手段１６２により駆動されるカバー１６０を含む。
【００１０】
このような従来の光ピックアップは、リードスクリューなどのようなカバー駆動手段によりカバーが対物レンズに対して前進／後退することにより、対物レンズを外部の埃などから保護することを特徴とし、特に、カバーの下部に微細洗浄手段（例えば、細毛（図示せず））を設けることにより、対物レンズの表面を洗浄することもできる構成である。
【００１１】
ただし、このような構成のためには、図２に示すように、カバーを駆動するための別のカバー駆動手段を付け加える必要があり、このカバー駆動手段を含みつつ光ピックアップ体を構成しなければならないため、結果的に光ピックアップ自体が大きくなるという問題点がある。
【００１２】
したがって、従来の光ディスク装置又は光ピックアップに適用された構成は、対物レンズを外部埃などから保護することはできるが、そのため装置の体積が相対的に増加するという問題点を有する。また、図１に示す光ディスク装置の場合は、レンズカバーと対物レンズとの間に空間があるため、埃などから対物レンズを効率よく保護しにくいという問題点がある。
【００１３】
【特許文献１】実開平６−５２０１７号公報
【特許文献２】特開平６−１３１６８２号公報
【発明の開示】
【発明が解決しようとする課題】
【００１４】
したがって、本発明の目的は、光ピックアップの対物レンズを外部の埃などから保護し得る防塵手段を備える光ディスク装置を提供することである。
【００１５】
本発明の他の目的は、全体体積を増加させることなく防塵手段が装着された光ディスク装置を提供することである。
【課題を解決するための手段】
【００１６】
上記目的を達成するため、本発明は、中央に中心孔が形成され、前記中心孔の両側部に一対のガイド軸が設けられたデッキと、前記デッキの一側部に装着され、光ディスクが搭載されるターンテーブルが結合されたスピンドルモータと、対物レンズを有し、前記一対のガイド軸により両側部が移動可能に支持される光ピックアップと、前記中心孔の一側部で前記デッキに結合される駆動モータ、及び一側が前記光ピックアップに結合され、他側が所定のギヤ群を介して前記駆動モータに連結される光ピックアップ移送体からなり、前記光ピックアップを光ディスクの半径方向に往復駆動させる光ピックアップ駆動手段とを含んでなる光ディスク装置において、前記対物レンズを覆うカバーを備え、前記駆動モータにより前記カバーを前記一対のガイド軸を横切る方向に往復駆動させて、前記カバーで前記対物レンズを開閉する対物レンズ保護手段を含む光ディスク装置を提供する。
【００１７】
前記対物レンズ保護手段は、前記光ピックアップ移送体と連動して前記光ディスクの半径方向に往復駆動されるカバー移送体と、前記カバー移送体の往復運動により、前記一対のガイド軸を横切る方向に往復駆動され、一端部に前記カバーが延設されたカバー体と、前記カバー移送体の往復運動を前記カバー体の往復運動に転換して伝達する伝達手段と、を含むことができ、前記往復運動の伝達は、前記光ピックアップが所定位置に停止した状態で行われる。
【００１８】
前記所定位置は、光ディスクが前記ターンテーブルに対して搭載及び／又は分離される場合、前記光ピックアップが位置するように設定された待機位置である。
【００１９】
前記伝達手段は、少なくとも一つのピニオンからなる伝達軸と、前記伝達軸と噛み合うように前記カバー移送体及び前記カバー体にそれぞれ形成されたラックと、からなる。
【００２０】
前記伝達軸は、前記光ピックアップにより、光ディスクの面に垂直な方向に支持され、前記カバー移送体のラックと前記カバー体のラックとは、高低差を置いて前記伝達軸と噛み合うことができる。
【００２１】
前記伝達軸は直径の相違した二つのピニオンが積層されてなり、よって前記カバー移送体の駆動距離と前記カバー体の駆動距離とが相違することができる。
【００２２】
前記カバー移送体の駆動距離より前記カバー体の駆動距離を長くすることができる。
【００２３】
前記光ピックアップ移送体の一側部には、前記所定のギヤ群と噛み合うラックが設けられ、前記カバー移送体は、前記伝達軸と噛み合うラックが形成された側の反対側部に、前記所定のギヤ群と噛み合うラックがさらに設けられることができる。
【００２４】
前記カバー移送体と前記光ピックアップ移送体とは、前記駆動モータの回転により、時間間隔を置いて駆動されることができる。
【００２５】
前記所定のギヤ群に対応して、前記カバー移送体と前記光ピックアップ体とは相違した長さのラックを持っており、前記カバー移送体と前記光ピックアップ移送体とは、突起及び受容孔からなる連動手段により連動することができる。
【００２６】
前記所定のギヤ群に対応する前記カバー移送体のラックが前記光ピックアップ移送体のラックより所定範囲の値だけ長く、前記光ピックアップの待機位置で前記移送体が前記所定のギヤ群と噛み合って単独で駆動され、その後、前記光ピックアップ移送体が前記カバー移送体と共に駆動されることができる。
【００２７】
前記伝達軸に対応する前記カバー移送体のラックは、前記所定範囲に対応する長さと位置に限定されて形成されることができる。
【発明の効果】
【００２８】
以上のような本発明によれば、光ピックアップ駆動手段の駆動モータの回転により、ラック及びピニオンを含む伝達手段を有する対物レンズ保護手段が動作して、カバーが対物レンズを覆うようにするので、対物レンズの表面を外部の埃などから保護することができる。また、単にラックとピニオンとの組合せを用いる対物レンズ保護手段を適用するので、光ディスク装置全体の大きさの増加を招くことはない。また、光ピックアップ駆動手段内の駆動モータの回転に連動してカバーが駆動されるので、カバーの駆動と光ピックアップの駆動とが時間間隔を置いて有機的に連結できる。
【発明を実施するための最良の形態】
【００２９】
以下、添付図面に基づいて、本発明の好ましい実施例を説明する。
【００３０】
図３は本発明の一実施例による光ディスク装置の斜視図であり、図４は図３に示す光ディスク装置の分解斜視図である。図３及び図４を参照して、本発明の好ましい実施例による光ディスク装置２００の構造を説明する。
【００３１】
本発明に係る光ディスク装置２００は、大別して、デッキ２１０と、スピンドルモータ２２０と、光ピックアップ２３０と、光ピックアップ駆動手段２４０とを含み、これに加え、本発明の特徴部分である対物レンズ保護手段２９０をさらに含む。
【００３２】
デッキ２１０の中央には中心孔２１２が形成され、中心孔２１２の両側には一対のガイド軸２１４ａ、２１４ｂが設けられる。一対のガイド軸２１４ａ、２１４ｂが配列されていないデッキの他側部にはスピンドルモータ２２０が装着され、スピンドルモータ２２０の回転軸にはターンテーブル２２２が結合され、このターンテーブルには光ディスク（図示せず）が搭載できる。光ディスクは、スピンドルモータの駆動により、ターンテーブルと共に回転する。
【００３３】
光ピックアップ２３０は、一対のガイド軸２１４ａ、２１４ｂにより支持され、デッキの中心孔２１２内で光ディスクの半径方向に往復駆動され、光ピックアップ２３０の上部には対物レンズ２３２が設けられる。ガイド軸２１４ａ、２１４ｂにそれぞれ対応する一対の支持手段２３４ａ、２３４ｂが光ピックアップからガイド軸側に突設され、これら支持手段２３４ａ、２３４ｂに対応するガイド軸２１４ａ、２１４ｂに沿ってスライド方式で駆動されて、光ピックアップを光ディスクの半径方向に往復駆動させる。
【００３４】
光ピックアップ駆動手段２４０は、大別して、デッキ２１０の一側面に装着されて駆動される駆動モータ２４２と、駆動モータ２４２の回転軸のギヤと噛み合う所定のギヤ群２４４と、所定のギヤ群と噛み合うラック２５２が形成された光ピックアップ移送体２５０と、を含む。光ピックアップ移送体２５０は、好ましくは、ラック２５２が形成された側の反対側部が光ピックアップ２３０の下端に直接付着される。このような構成によれば、駆動モータ２４２が回転するに従って、駆動モータの回転軸のギヤと噛み合う所定のギヤ群２４４が回転し（図４の矢印方向）、所定のギヤ群の回転により、このギヤ群と噛み合ったラック２５２を有する光ピックアップ移送体２５０が対応ガイド軸２１４ａに沿って、光ピックアップ２３０とともに往復駆動される。
【００３５】
さらに、対物レンズ保護手段２９０は、光ピックアップ２３０の対物レンズを開閉するカバー２６２を含む。カバー２６２は、一対のガイド軸２１４ａ、２１４ｂを横断する方向に往復駆動されるカバー体２６０の一側から突出した平板であり、カバー体２６０が往復駆動されることにより、対物レンズ２３２を開閉することができる。
【００３６】
本発明の好ましい実施例に係る対物レンズ保護手段２９０は、光ピックアップ駆動手段２４０の駆動モータ２４２により駆動される。すなわち、つぎのような構成により駆動される。
【００３７】
本発明の好ましい実施例に係る対物レンズ保護手段２９０は、光ピックアップ移送体２５０に連動して光ディスクの半径方向に駆動されるカバー移送体２７０と、一対のガイド軸２１４ａ、２１４ｂを横切る方向にカバーと共に往復駆動されるカバー体２６０と、カバー移送体２７０の往復運動をカバー体の往復運動に転換して伝達する伝達手段と、を含む。この際、往復運動の伝達は、光ピックアップ２３０が所定位置に停止した状態で行われることを特徴とする。また、伝達手段は、少なくとも一つのピニオン２８０を含む伝達軸と、この軸と噛み合うラック２６４、２７４と、から構成できる。
【００３８】
光ピックアップが停止した所定の位置とは、光ディスクがターンテーブルに搭載されるか、あるいは分離されるとき、光ピックアップが位置するように決められた待機位置を言うが、一般的に、光ピックアップの往復駆動範囲のうち、ターンテーブルに最も近接した位置であり得る。
【００３９】
カバー移送体２７０は、光ピックアップ移送体２５０のラック２５２に対応する側部に、所定のギヤ群と噛み合うラック２７２（以下、「第１ラック」という。）が形成され、駆動モータの回転により往復駆動される。また、カバー移送体２７０の第１ラック２７２が形成された側の反対側部には、移送体から垂直上方に突出してから外側に折り曲げられ、伝達手段のピニオン２８０と噛み合うラック２７４（以下、「第２ラック」という。）が形成される。
【００４０】
カバー移送体２７０において、第２ラック２７４は、第１ラック２７２に比べて、垂直上方に突出した分だけの高低差を置いて形成される。これは、第１ラック２７２と噛み合う所定のギヤ群２４４と第２ラック２７４が噛み合う伝達軸（ピニオン）２８０の高低差に起因するものである。また、第２ラックの長さは所定範囲（Ｒ）に限定される。すなわち、第２ラックの長さは、光ピックアップ移送体２５０に連動しない第１ラックの範囲と一致するように形成される。言い換えれば、カバー移送体２７０の第１ラック２７２は、光ピックアップ移送体２５０のラック２５２より所定長さ範囲（Ｒ）だけ長く形成される。これにより、カバー移送体２７０の第１ラックが駆動される初期には、光ピックアップ移送体が共に駆動されることなく、カバー体のみがカバー移送体とともに駆動されるように構成される。
【００４１】
また、カバー移送体２７０は、突起２５６及び受容孔２７６からなる連動手段を介して光ピックアップ移送体２５０と結合され、突起２５６の端部が受容孔２７６の外側に折り曲げられることにより、光ピックアップ移送体２５０により支持できる。図４においては、突起２５６が光ピックアップ移送体２５０に形成され、受容孔２７６がカバー移送体２７０にそれぞれ形成された例を示したが、これとは反対に、光ピックアップ移送体に受容孔を形成してカバー移送体に突起を形成するように構成することもできる。
【００４２】
ピニオン２８０は、光ピックアップ２３０の一側面に支持され、高低差を置いてカバー移送体２７０の第２ラック２７４とカバー体２６０のラック２６４と噛み合うように構成される。カバー移送体２７０の第２ラック２７４とカバー体２６０のラック２６４とは互いに平行に配列され、進行方向においては、それぞれ光ディスクの半径方向及びガイド軸の横断方向となり、互いに直交することになる。
【００４３】
カバー体２６０は、光ピックアップ２３０の一側部から垂直上方に突出してから外側に折り曲げられる支持部２３８上でスライド方式で駆動され、これも突起２６６及び受容孔２３６を介して結合される。突起２６６はカバー体２６０の下面から垂直下方に突出し、受容孔２３６は支持部２３８に形成されるので、カバー体２６０が支持部２３８上でスライド可能に支持される。また、カバー体２６０のラック２６４は伝達軸のピニオンギヤ２８０と噛み合うように形成され、ピニオン２８０の駆動により、カバー体２６０がガイド軸を横切る方向に駆動されるので、カバー２６２が対物レンズ２３２を開閉することになる。
【００４４】
つぎに、図５ａ及び図５ｂに基づき、本発明に係る対物レンズ保護手段が作動する原理を説明する。図５ａは、光ピックアップ２３０が待機位置に停止して、カバー２６２が対物レンズ２３２を覆っている状態を示す斜視図であり、図５ｂはカバー２６２が開いて対物レンズ２３２が露出した状態を示す斜視図である。
【００４５】
駆動初期に、光ピックアップ移送体２５０のラック２５２はギヤ群２４４と噛み合わなくてカバー移送体２７０の第１ラック２７２のみと噛み合っている。すなわち、光ディスクが搭載された後、駆動モータの回転が始まる駆動初期に、カバー移送体２７０と光ピックアップ移送体２５０は時間差を置いて駆動される。本発明によれば、カバー移送体２７０の第１ラック２７２が先に駆動され、次いで連動手段によりカバー移送体２７０と光ピックアップ移送体２５０が共に駆動される。これは、カバー移送体２７０に形成された第１ラック２７２と光ピックアップ移送体２５０に形成されたラック２５２との配列位置により具現できる。
【００４６】
そして、カバー移送体２７０の第１ラック２７２のみが駆動される間、第１ラック２７２と共に動く第２ラック２７４がピニオンの伝達軸２８０に作用することにより、伝達軸２８０と高低差を置いて噛み合うカバー体２６０のラック２６４を駆動させる。すなわち、カバー移送体２７０の第２ラック２７４が移動した距離だけ、伝達軸２８０を介してカバー体２６０のラック２６４が駆動され、その結果、図５ｂに示すように、カバー移送体２７０の第２ラック２７４がピニオン２８０を中心に左側から右側に移動した距離だけ、カバー体２６０のラック２６４が支持部２３８に沿って駆動されるので、カバー２６２が移動して対物レンズ２３２を露出させる。
【００４７】
つぎに、カバー２６２が対物レンズ２３２を完全に露出させた後、カバー移送体２７０は光ピックアップ移送体２５０と共に移動するので、対物レンズ２３２が露出したままで光ピックアップ２３０が往復駆動される。カバー移送体２７０と光ピックアップ移送体２３０の連動は、突起２５６と受容孔２７６からなる連動手段によりなされ、その具体的な作用はつぎのようである。
【００４８】
連動手段は、光ピックアップ移送体２５０によりカバー移送体２７０が支持できるように結合する役割のみを果たすとともに、カバー移送体２７０が一定距離（所定範囲、図４のＲ）だけ駆動されたとき、受容孔２７６の一端が突起２５６に接触して、突起２５６の付着された光ピックアップ移送体２５０を引きながら移動するように構成される。
【００４９】
すなわち、駆動モータの駆動初期には、光ピックアップ移送体２５０のラック２５２は所定のギヤ群２４４と噛み合っていない状態であるため、カバー移送体２７０のみが光ピックアップ移送体の下側でスライド駆動され、カバー移送体２７０が移動する途中、カバー移送体２７０の受容孔２７６の一端が光ピックアップ移送体２５０の突起２５６と接触して光ピックアップ体２５０を引きながら移動し、よって光ピックアップ移送体２５０のラック２５２が所定のギヤ群２４４と噛み合うことになる。
【００５０】
光ピックアップ移送体２５０のラック２５２が所定のギヤ群２４４と噛み合うと、所定のギヤ群２４４と噛み合って駆動されているカバー移送体２７０のラック２７２と共に、所定のギヤ群２４４の回転により、光ピックアップ２３０を光ディスクの半径方向に往復駆動させることができる。また、光ピックアップ移送体２５０とカバー移送体２７０が連動して共に駆動されるときは、カバー移送体２７０の第２ラック２７４と伝達軸２８０が相対的に固定されるため、カバー２６２が対物レンズ２３２を外れた光ピックアップ２３０の一側部に固定状態に維持される。
【００５１】
一方、駆動が終了する場合は、前記と反対の方式で作動される。具体的に、光ピックアップ２３０が待機位置（光ピックアップ２３０がターンテーブルに最も近接した位置）に移動するにつれて、光ピックアップ移送体２５０の水平突起２５４がデッキ２１０に形成されたストッパー２１６（図３を参照すること。）に接触することにより、光ピックアップ移送体２５０が停止し、光ピックアップ移送体２５０が停止した状態でカバー移送体２７０の第１ラック２７２のみが所定のギヤ群２４４と噛み合って駆動される。このように、光ピックアップ移送体２５０が停止した状態においては、光ピックアップ２３０が停止するため、伝達軸２８０も停止する。この際、カバー移送体２７０が駆動され続けるにつれて、カバー移送体２７０の第２ラック２７４の運動がカバー体２６０のラック２６４の運動に転換されて伝達され、よってカバー２６２が対物レンズ２３２上に移動して対物レンズ２３２を覆って保護することになる。
【００５２】
前述したように、カバー２６２の往復運動は、光ピックアップ２３０が待機位置で停止した状態でのみ行われることが分かる。図６は、このような各構成要素の動作を比較して示している。図６に基づいて各構成要素の動作状態を説明すると次のようである。
【００５３】
図６は、本発明により、対物レンズ保護手段を駆動させるときに適用される核心的な三つの構成要素（光ピックアップ移送体、カバー移送体、及びカバー体）の動作を時間別に示す。
【００５４】
まず、Ａ区間は、駆動モータが動作する初期であり、カバーが駆動されて対物レンズを開放させる区間である。この区間では、カバー移送体とカバー体のみが駆動され、光ピックアップ移送体は停止している状態である。すなわち、光ピックアップ移送体２５０は停止している状態であり、よって光ピックアップの一側で支持される伝達軸が一地点に固定され、この固定された伝達軸とカバー移送体２７０の第２ラック２７４及びカバー体２６０のラック２６４が噛み合って駆動されることにより、カバー２６２が対物レンズ２３２を外れて対物レンズ２３２を開放する。
【００５５】
つぎに、Ｂ区間は、光ディスクに対して光ピックアップ２３０を用いて記録及び／又は再生を行う区間である。この区間では、カバー移送体２７０と光ピックアップ移送体２５０が連動して共に駆動され、カバー体２６０は固定されている状態である。すなわち、光ピックアップ移送体２５０はカバー移送体２７０に連動して共に動作し、光ピックアップ移送体２５０により光ピックアップ２３０が駆動されるため、光ピックアップ２３０により支持される伝達軸２８０がカバー移送体２７０の第２ラック２７４と共に移動する。このように、伝達軸が第２ラック２７４と共に駆動されるため、第２ラック２７４の運動がカバー体２６０に伝達されないので、カバー２６２が開放された状態で固定される。
【００５６】
最後に、Ｃ区間は光ピックアップ２３０の駆動が終了する区間で、カバー２６２が駆動されて対物レンズ２３２を覆って保護する区間である。この区間では、カバー移送体２７０とカバー体２６０のみが駆動され、光ピックアップ移送体２５０は再び停止した状態である。すなわち、光ピックアップ２３０が待機位置に移送されると、光ピックアップ移送体２５０がストッパー２１６により停止し、これにより光ピックアップにより支持される伝達軸２８０が停止する。停止した伝達軸(ピニオン)に対してカバー移送体２７０の第２ラック２７４が作動することにより、カバー体２６０のラック２６４が移動して、カバー２６２が対物レンズ２３２上に駆動されて対物レンズ２３２を覆って保護する。
【００５７】
このように、本発明に係る光ディスク装置は、光ピックアップ２３０の対物レンズを開閉するカバーをさらに含むことを特徴とする。このため、本発明の光ディスク装置は、光ピックアップ２３０を駆動させる光ピックアップ移送体２５０と、伝達軸２８０を介して、カバー体２６０に往復運動を伝達してカバー２６２を駆動させるカバー移送体と、直接的にカバー２６２を移動させるカバー体２６０と、を含む。
【００５８】
また、これらの構成要素が、図６に示すように、区間別に相対的な動作を行うことにより、本発明の目的に合致する結果が得られる。
【００５９】
図７は、本発明に係る対物レンズ保護手段の他の実施例を示す斜視図である。同図に示すように、この実施例による対物レンズ保護手段は、伝達軸２８０′が二つの相違した直径のピニオン２８２、２８４からなる点で、先の実施例とは異なる。前記二つのピニオン２８２、２８４は、例えば二つの相違した直径のピニオンを同一回転軸上に結合させるか、あるいは単一ピニオンの表面に相違した直径のネジ部を上下に形成させることにより具現することができる。
【００６０】
図７の実施例において、カバー体２６０に対応するピニオン２８２の直径がカバー移送体２７０に対応するピニオン２８４の直径より大きいため、カバー本体２６０の駆動距離（Ｄ２）がカバー移送体２７０の駆動距離（Ｄ１）より大きくなる。また、図７の実施例の場合、カバー移送体２７０の第２ラック２７４の長さは、先の実施例によるカバー移送体２７０の第２ラック２７４の長さ（図４参照）より短く形成されている。
【００６１】
このように、伝達軸をなすピニオンの直径を調節することにより、カバー移送体２７０の駆動距離に対するカバー体２６０の駆動距離を調節することができ、これにより、駆動モータ２４２の回転速度に比べて速やかなカバー２６２の開閉が得られる。また、カバー２６２を開閉するのに要求される第２ラックの長さを最小にすることができる。
【００６２】
以上のような構成を有する本発明に係る光ディスク装置は、対物レンズ保護手段を備えて、光ピックアップ２３０が使用される間、対物レンズをカバー２６２で覆って保護することにより、対物レンズを外部の埃などから保護することができる。また、本発明に係る光ディスク装置は、既存の駆動モータ（光ピックアップ移送用駆動モータ）に加え、ラック及びピニオンにより駆動されるカバーを用いることにより、光ディスク装置の全体大きさの増加なしで、対物レンズを開閉することができる対物レンズ保護手段を備える。
【００６３】
また、駆動モータの回転により、ラックとピニオンとからなる伝達手段を介してカバーが駆動されるため、カバーの駆動距離が駆動モータの回転に対して優れたＤＣ追従性を保障することができる。
【００６４】
また、ラックとピニオンとの組合せという単純な構造を用いるので、対物レンズを保護するための別途の駆動手段（例えば、カバー駆動用モータ）が不要であり、既成の光ピックアップ移送用駆動モータであっても十分に活用することができる。これは、部品数を減らす利点のほかにも、別途にカバー駆動用モータを適用した場合に不可避に要求される二つのモータ（光ピックアップ移送用駆動モータとカバー駆動用モータ）間の制御が不要であるので、より効率的なカバーの制御が可能である利点がある。すなわち、カバーの駆動と光ピックアップの駆動とは、所定のギヤ群と噛み合って連動する二つのラック（光ピックアップ移送体のラックとカバー移送体の第１ラック）の配列条件によって時間間隔を置いて行われるため、カバーと光ピックアップの駆動時期を調節するための別途の制御が不要である。
【図面の簡単な説明】
【００６５】
【図１】従来の光ディスク装置の一例を示すブロック図である。
【図２】従来の光ピックアップの一例を示す斜視図である。
【図３】本発明の一実施例による光ディスク装置の斜視図である。
【図４】図３の光ディスク装置の分解斜視図である。
【図５ａ】光ピックアップが待機位置に停止して、カバーが対物レンズを覆っている状態を示す斜視図である。
【図５ｂ】カバーが開いて対物レンズが露出した状態を示す斜視図である。
【図６】図３に示す光ディスク装置の各構成要素の動作を比較して示す図である。
【図７】本発明に係る対物レンズ保護手段の他の実施例を示す斜視図である。
【符号の説明】
【００６６】
１０    光ディスク
２０、２２０    スピンドルモータ
２２、２２２    ターンテーブル
３０、１３０、２３０    光ピックアップ
３２、１３２、２３２    対物レンズ
４０、２４０    光ピックアップ駆動手段
４２    ガイド
４４    センサ
５０    制御手段
６０、１６０    カバー
７０    装置カバー
７２    ヒンジ
１００、２００    光ディスク装置
１３４    光ピックアップ本体
１６２    カバー駆動手段
１８０    アクチュエータ
２１０    デッキ
２１２    中心孔
２１４ａ、２１４ｂ    ガイド軸
２１６    ストッパー
２３４ａ、２３４ｂ    支持手段
２３６、２７６    受容孔
２３８    支持部
２４２    駆動モータ
２４４    所定ギヤ群
２５０    光ピックアップ移送体
２５２、２６４    ラック
２５４、２５６、２６６    突起
２６０    カバー移送体
２６２    カバー
２７０    第２ラック
２７２    第１ラック
２７４    第２ラック
２８０、２８０′    伝達軸
２９０    対物レンズ保護手段
【図１】
2006040509.tif 000003
【図２】
2006040509.tif 000004
【図３】
2006040509.tif 000005
【図４】
2006040509.tif 000006
【図５ａ】
2006040509.tif 000007
【図５ｂ】
2006040509.tif 000008
【図６】
2006040509.tif 000009
【図７】
2006040509.tif 000010